(57)【要約】【課題】カバーテープ巻取製品が巻崩れしにくく、保管、運搬が簡便で、かつ、カバーテープが繰り出しやすいカバーテープ巻軸及びカバーテープ巻取製品を提供する。【解決手段】中心にローラー軸挿入用の軸孔７を有し、外周面２に部品搬送用キャリアテープの封止に用いられるカバーテープ６が巻き取られるカバーテープ巻軸５であって、外周面２が、軸孔７の軸線Ｐ方向に、テーパー状に形成されていることを特徴とする。また、前記軸線Ｐ方向の両端面のいずれか一方または双方に保持凹部８を有することを特徴とする。【選択図】図１
2010013177.tif 000002
【特許請求の範囲】
【請求項１】
中心にローラー軸挿入用の軸孔を有し、外周面に部品搬送用キャリアテープの被覆に用いられるカバーテープが巻き取られるカバーテープ巻軸であって、前記外周面が、前記軸孔の軸線方向に、テーパー状に形成されていることを特徴とするカバーテープの巻軸。
【請求項２】
前記軸線方向の両端面のいずれか一方または双方に保持凹部を有することを特徴とする請求項１に記載のカバーテープの巻軸。
【請求項３】
請求項１又は２に記載のカバーテープ巻軸において、前記外周面に、前記カバーテープをトラバース巻きしてなることを特徴とするカバーテープ巻取製品。
【発明の詳細な説明】
【技術分野】
【０００１】
本発明は、例えば電子部品搬送用キャリアテープのカバー材等として用いられるカバーテープの巻軸、及び、本カバーテープの巻軸にカバーテープをトラバース巻きしたカバーテープ巻取製品に関する。
【背景技術】
【０００２】
各種の半導体パッケージやコンデンサ、抵抗等の電子部品、電気部品、精密機器部品、通信回路モジュール部品、回路基板や回路部品あるいはスイッチ部品やコネクタ等の機構部品、その他の分野の小部品等の部品を搬送するために用いられるキャリアテープのフランジ部に、熱融着等により、上記した部品を収納する収納ポケットの開口や打ち抜き穴あるいはリブで囲まれた部分の一部または全域を被覆するカバーテープは、巻軸に巻き取られた状態で製品として提供されている。従来のカバーテープ巻取製品としては、ローラー軸挿入用の軸孔と、径を一定とする外周面と、巻軸の両端を成す上端面と下端面とを有する円筒状のカバーテープ巻軸に、カバーテープを巻軸の径方向に重ねて巻き取るようにした、いわゆるレコード巻きされたものや、カバーテープを巻軸の軸方向にトラバースさせながら巻き取るように（トラバース巻き）されたものが提供されている。
カバーテープ巻取製品は、作業効率の観点から、巻き取ったカバーテープの長尺化が要請されているが、上記レコード巻きによる対応では、径が大きくなり、巻崩れが生じやすくなることから、長尺化に限界がある（製品長さが１０００ｍ以上の長尺化は困難）。これに対し、トラバース巻きはレコード巻きよりもカバーテープの巻崩れが生じ難く、また、カバーテープをトラバースさせつつ巻き付けるので、レコード巻きよりも巻き付け長さを遥かに長尺化することができる。
このトラバース巻きされたカバーテープ巻取製品としては、例えば特許文献１に示されたものが存在する。
【０００３】
図６に示すように、特許文献１に記載されたカバーテープ巻取製品２０は、径を一定とする内周面２１と、同じく径を一定とする外周面２２と、軸線方向に対し垂直方向に形成され巻軸の両端面をなす上端面２３及び下端面２４とを有する円筒状のカバーテープ巻軸２５に、カバーテープ２６をトラバース巻きしたものである。
【特許文献１】特許第３５０２６０８号公報
【発明の開示】
【発明が解決しようとする課題】
【０００４】
ところで、上記従来のカバーテープ巻取製品２０においては、カバーテープ２６を巻く際に、引張力を十分に掛けた上で、カバーテープを巻軸に巻きつけないと巻崩れが生じてしまうという問題がある。しかし、そうかといって、カバーテープ２６の巻きつけの引張力が強すぎるとカバーテープ２６を変形させてしまうという問題があった。
また、上記カバーテープ巻取製品２０によると、図６のように、カバーテープ巻取製品２０の上端面２３又は下端面２４が底部に位置するようにカバーテープ巻取製品２０を置いた場合、外径が一定である巻軸２５の外周面２２にカバーテープ２６が巻かれているため、保管又は運搬する際、巻崩れが生じやすくなるという問題があった。
【０００５】
そこで、カバーテープ巻取製品２０を保管又は運搬するにあたっては、外周面２２が水平方向になるよう巻軸２５を横向けに倒す必要があったが、そのように横向けに倒して保管、運搬したのでは、カバーテープ巻取製品２０の底部に当たるカバーテープ２６辺りから巻崩れが生じたり、当該部分が、カバーテープ巻取製品２０全体の重みにより圧迫されて傷んでしまうという問題があった。そこで、カバーテープ巻取製品２０は、専用の保管又は運搬用器具の上部から吊るした固定具に、カバーテープ巻軸２５の両端の内径を引っ掛けて運搬するという方法を採用しなければならず、当該カバーテープ巻取製品２０の保管、運搬効率が悪いという問題があった。
【０００６】
また、カバーテープ巻取製品２０によると、図７に示すように、カバーテープ巻取製品２０の使用時において、カバーテープ２６を引き出すテンションローラー２７が定位置に固定されている場合には、テンションローラー２７から最も離れた巻位置に巻かれているカバーテープ２６に無理な引張力がかかり、カバーテープ２６が変形してしまうという問題があった。また、このことから、テンションローラー２７が固定式とされている装置には、カバーテープ巻軸製品２０は適さないという問題があった。
【０００７】
本発明は、上記事情に鑑みてなされたもので、カバーテープ巻取製品が巻崩れしにくく、保管、運搬が簡便で、かつ、カバーテープが繰り出しやすいカバーテープ巻軸及びカバーテープ巻取製品の提供を目的としている。
【課題を解決するための手段】
【０００８】
上記目的を達成するために、本発明は以下の手段を提供している。
第１の発明は、中心にローラー軸挿入用の軸孔を有し、外周面に部品搬送用キャリアテープのフランジ部に熱融着等により上記した部品を収納するエンボス部の開口や打ち抜き穴等を被覆するのに用いられるカバーテープが巻き取られるカバーテープ巻軸であって、前記外周面が、前記軸孔の軸線方向に、テーパー状に形成されていることを特徴とするものである。
【０００９】
第２の発明は、前記軸線方向の両端面のいずれか一方または双方に保持凹部を有することを特徴とするものである。
【００１０】
第３の発明は、請求項１又は２に記載のカバーテープ巻軸において、前記外周面に、前記カバーテープをトラバース巻きしてなることを特徴とするものである。
【発明の効果】
【００１１】
本発明のカバーテープ巻取製品によると、カバーテープ巻軸の外周面が、軸線方向の一端に向かって漸次広がるテーパー状をなしており、この巻軸の外周面にカバーテープがトラバース巻きされているため、カバーテープ巻取製品のテーパー形状の径が大きい側である下端面が底部に位置するようにカバーテープ巻取製品を置いても、巻き取られたカバーテープが、漸次下端面に向かってテーパー状に広がっている外周面に支えられるという、いわゆる巻崩防止構造により、巻崩れが起きにくいという利点を有する。
【００１２】
また、本発明のカバーテープ巻取製品によると、上記の巻崩防止構造により、カバーテープ巻取製品の下端面が底部に位置するようにカバーテープ巻取製品を置くことができるため、カバーテープ巻取製品の保管又は運搬時においても、わざわざ固定器具により吊るす必要がなくなる。その結果、本発明のカバーテープを傷めることなく、スペースを有効利用しながら、保管、運搬を効率的に行うことができるという利点を有する。
【００１３】
また、本発明のカバーテープ巻取製品によると、外周面の上端面側の径が小となる形状となっているため、当該カバーテープ巻取製品の使用時において、前記上端面側に位置させた固定式のガイドローラーによりカバーテープを引き出す場合にあっても、巻軸に巻かれたカバーテープの他の部分との引っ掛かりを回避し、カバーテープの引き出しが円滑になるので、カバーテープに無理な引張力がかかりにくく、カバーテープの変形を防止することが出来るという利点を有する。
【発明を実施するための最良の形態】
【００１４】
以下、図面を参照して、この発明の一実施形態について説明する。
【００１５】
図１及び２は、本発明によるカバーテープ巻取製品の一実施形態を示す図である。図１に示すように、本発明によるカバーテープ巻軸製品１０は、巻軸５と、巻軸５にトラバース巻きされたカバーテープ６とから構成されている。図２は、本発明によるカバーテープ巻取製品１０を下端面４から斜視した状態を示す図である。
【００１６】
巻軸５は、外観略截頭円錐形に形成されており、その中心に軸孔７を有するものである。すなわち、図１又は２に示すように、巻軸５は、外周面２と、軸線Ｐ方向の両端面に形成された平面視略円形の上端面３及び下端面４と、上端面３又は下端面４の中心部分から、後述する図３に示すキャリアテープ融着装置４０のローラー軸９を通すための筒状の軸孔７と、下端面４において巻軸５の軸線Ｐ方向に向けて窪んだ保持凹部８を有するものである。この巻軸５は、ポリプロピレン、ＡＢＳ、ナイロン、ポリエステル、ポリスチレン等より形成されている。
【００１７】
巻軸５の外周面２は、軸線Ｐ方向で下端面４に向かって漸次広がるテーパー形状とされている。外周面２の傾斜角度は、その傾斜角度が大きすぎると、後述するカバーテープが巻きにくくなり、また、傾斜角度が小さすぎると、外周面２の傾斜による巻崩れ防止等を有効に図れなくなるため、後述するカバーテープ６の巻きやすさ、巻崩れ防止、及び、カバーテープ６の繰り出しやすさに適合する範囲とされる。具体的には、外周面２の傾斜角度は、５度〜２５度が好ましく、約１０度とするのがより望ましい。
また、外周面２の軸線Ｐ方向の幅となる軸幅は、５０ｍｍ〜１００ｍｍが好ましく、６０ｍｍ〜７０ｍｍがより望ましいと考えられる。これは、一般的に用いられる約５ｍｍ幅のカバーテープ６が約１０周程度巻回された後に、軸線Ｐ方向にトラバース巻きの向きを逆向きに変える程度の軸幅であるが、そうすることで、カバーテープ６の繰り出し時においても、ガイドローラーの位置と繰り出されたカバーテープ６の角度がつきにくく、カバーテープの繰り出し時に巻崩れが生じにくくするためである。
【００１８】
巻軸５の上端面３は、軸線Ｐ方向の一端側に形成される平面視略円形で平らな面により形成されており、その中心部に、下端面４まで貫通する軸孔７が形成されたものである。
また、巻軸５の下端面４は、軸線Ｐ方向の他端に形成される平面視略円形で平らな面とされている。
上端面３及び下端面４は、例えば上端面３の外径は１７５ｍｍ、下端面４の外径は約２００ｍｍとすることができる。
【００１９】
軸孔７は、軸線Ｐ方向に内周面１の内径寸法が一定とされた孔であり、後述するキャリアテープ融着装置４０のローラー軸９の形状及び大きさに応じて適宜形成される。
【００２０】
保持凹部８は、カバーテープ巻取製品１０を把持するために設けられたものである。該保持凹部８は、図１に示すように、下端面４において、内周面１と外周面２により形成される厚み部分に軸孔７を取り囲むように複数形成されたものである。
この保持凹部８は、巻軸５の下端面４から軸線Ｐ方向に軸幅中心部に向かって凹んでおり、同保持凹部８は、内周面１と外周面２とのそれぞれに沿う面８ａ、８ｃと、下端面に対して垂直な面上に形成される面８ｂ及び面８ｄと、下端面４に平行な面８ｅに囲まれて形成されるものである。
図２に示すように、保持凹部８の開口部を形成する辺８ｆ、８ｇ、８ｈ、８ｉ及び、保持凹部８の奥行寸法（辺８ｊ）は、カバーテープ巻取製品１０を把持するのに適していれば、特に限定されないが、把持しやすい大きさとして、辺８ｆ、８ｇ、８ｈ、８ｉをそれぞれ１．５ｃｍ以上とし、辺８ｊを２ｃｍ以上とするのが好ましい。
この保持凹部８を形成するためには、内周面１と外周面２により形成される厚みを４０ｍｍ〜１００ｍｍとするのが好ましく、５０ｍｍ程度がより望ましい。
【００２１】
カバーテープ６は、プラスチックフィルムから、中でも、ポリエステル、ポリエチレンテフタレート、ポリプロピレン、ポリスチレン、ポリアミド樹脂等からなる。通常は、これらの樹脂からなる基材層、接着剤層、導電層、中間層などを積層した積層体からなる。カバーテープ６のテープ幅は、使用されるキャリアテープの幅に適合するように適宜定められる。
【００２２】
次に、このカバーテープ６を巻軸５に巻きつける方法について説明する。
外周面２にカバーテープ６を巻くには、図１又は２に示すように、上端面３及び下端面４の両端において、一定の軸幅を残すようにカバーテープ６を巻くように、すなわち、例えば外周面２の径の小とされた上端面３側から、一定寸法Ｌ１内方から巻き始め、順次外周面２上を軸線Ｐ方向（下端面４に向かって）巻き位置をずらせつつ巻回する。そして、カバーテープ６が下端面４の近傍に至ったら、下端面４から寸法Ｌ２内方に到達した時点でカバーテープ６の下端面４方向への巻回を中止し、今度は軸線Ｐ方向上端面３に向かって順次位置をずらせつつ同様にして巻いていく。このように、外周面２上において軸線Ｐ方向の一方向及びその逆方向に位置をずらせつつ巻くというトラバース巻きの方法でカバーテープ６を巻回していく。        
【００２３】
次に、本発明によるカバーテープ巻取製品１０の使い方について説明する。
【００２４】
カバーテープ巻取製品１０の保管又は運搬時には、図１に示すように、巻軸５の外周のテーパー形状が広がっている側である下端面４が底になるように軸孔７の軸線Ｐが地面に対して垂直になるように置く。
そのように置くことで、巻軸５に巻きつけたカバーテープ６が下方にずれようとしたとしても、漸次広がっている外周面２に支えられ、巻き崩れるのが防止される。
【００２５】
カバーテープ巻取製品１０の使用時には、図３に示すように、カバーテープ巻取製品１０をキャリアテープ融着装置４０のローラー軸９に、また、キャリアテープ３６が巻軸に巻き取られた製品３０を別のローラー軸３３に取り付け、カバーテープ６とキャリアテープ３６のそれぞれの口取り部を引き出す。そして、それぞれのテープをガイドローラー３４ａ又は３４ｂ、及び３４ｃの間を通して加熱ローラー３７と保持ローラー３８の間に位置させる。この場合、加熱ローラー３７は、キャリアテープ３６とカバーテープ６とが融着可能となるよう加熱されている。
この際、図４に示すように、外周面２の上端面３側の位置辺りに巻かれたカバーテープ６がガイドローラー３４ａに向かって繰り出されたときに、当該繰り出されているカバーテープ６が、巻軸５の軸線Ｐに対して略垂直になるように、すなわち、上端面３側がガイドローラー３４ａにより近くなるようにカバーテープ巻軸製品１０が位置するようになっている。このようにカバーテープ巻取製品１０がセットされた状態においては、図５に示すように、ガイドローラー３４ａにより離れた位置にトラバース巻きされているカバーテープ６を繰り出す際にも、ガイドローラー３４ａにより近い位置に巻かれたカバーテープ６が、より離れた位置に巻かれたカバーテープ６の繰り出しの邪魔にならず、常にスムーズにカバーテープ６の繰り出しをすることができることになる。
このように各テープをセットしておき、キャリアテープ融着装置４０を起動させると、加熱ローラー３７及び保持ローラー３８が回転し、繰り出されたカバーテープ６とキャリアテープ３６が融着ポイント３９において加熱融着され、部品をキャリアテープ３６の収納ポケット３５に収納した状態で、カバーテープ６により収納ポケット３５を被覆することができる。
【００２６】
以上のように、本発明によるカバーテープ巻取製品１０によると、巻軸５の外周面２が、軸線Ｐ方向の下端面４に向かって漸次広がるテーパー状をなしており、この巻軸５の外周面２にカバーテープ６がトラバース巻きされているため、カバーテープ巻取製品１０のテーパー形状の径が大きい側である下端面４が底部に位置するようにカバーテープ巻取製品１０を置いても、巻き取られたカバーテープ６が、漸次下端面４に向かってテーパー状に広がる外周面２に支えられる、いわゆる巻崩防止構造により、巻崩れが起きにくいという利点を有する。
【００２７】
また、本発明のカバーテープ巻取製品１０によると、上記の巻崩防止構造により、カバーテープ巻取製品１０の下端面４が底部に位置するようにカバーテープ巻取製品１０を置くことができるので、カバーテープ巻取製品１０の保管又は運搬時においても、わざわざ専用の固定器具により吊るす必要がなくなる。その結果、カバーテープ６を傷めることなく、スペースを有効利用しながら、保管、運搬を効率的に行うことができるという利点を有する。
【００２８】
また、本発明のカバーテープ巻取製品１０によると、外周面２の上端面３側の径が小となる形状となっているため、当該カバーテープ巻取製品１０の使用時において、前記上端面３側に位置させた固定式のガイドローラー３４ａによりカバーテープ６を引き出す場合にあっても、巻軸５に巻かれたカバーテープ６の他の部分との引っ掛かりを回避し、カバーテープ６の引き出しが円滑になるので、カバーテープ６の変形を防止することが出来るという利点を有する。
【００２９】
なお、本実施形態においては、保持凹部８を下端面４のみに設けたカバーテープ巻取製品１０を示しているが、保持凹部８の形成位置は下端面４に限定されるものではなく、上端面３に設けることも可能であり、カバーテープ巻取製品１０をハンドリングするときや、キャリアテープ融着装置４０のローラー軸９に取り付ける際に把持しやすくなる少なくとも一方の端面に設けることができる。こうした保持凹部８は、例えば図８に示すように、上下両方の端面に設けておくことが望ましい。また、保持凹部８の形状は、カバーテープ巻取製品の把持に適していれば、上記実施形態に示した形状に限定されるものではなく、複数の保持凹部に各々指を挿入してカバーテープ巻取製品を把持できるようにしても良いし、複数本の指を挿入してカバーテープ巻取製品を把持できるような大きさとしても良く、更に、保持凹部８が面８ｅを有することなく、上端面３まで突き抜けていても良い。
【図面の簡単な説明】
【００３０】
【図１】本発明の一実施形態として示したカバーテープ巻取製品の上方から斜視した図である。
【図２】本発明の一実施形態として示したカバーテープ巻取製品の下方から斜視した図である。
【図３】本発明のカバーテープ巻取製品をキャリアテープ融着装置に取り付けて使用する例を示す概略説明図である。
【図４】本発明のカバーテープ巻取製品のカバーテープの繰り出し方を例示した説明図である。
【図５】本発明のカバーテープ巻取製品のカバーテープの繰り出し方を例示した説明図である。
【図６】従来のカバーテープ巻軸にカバーテープを巻きつけた状態を示す説明図である。
【図７】従来のカバーテープ巻取製品のカバーテープの繰り出し方を例示した説明図である。
【図８】本発明の一実施形態として示したカバーテープ巻取製品の上方から斜視した図である。
【符号の説明】
【００３１】
１  内周面
２  外周面
３  上端面
４  下端面
５  巻軸
６  カバーテープ
７  軸孔
８  保持凹部
１０  カバーテープ巻取製品
３６  キャリアテープ
【図１】
2010013177.tif 000003
【図２】
2010013177.tif 000004
【図３】
2010013177.tif 000005
【図４】
2010013177.tif 000006
【図５】
2010013177.tif 000007
【図６】
2010013177.tif 000008
【図７】
2010013177.tif 000009
【図８】
2010013177.tif 000010